(57)【要約】【課題】組み立て及び取り扱いの作業性を向上させた紙器におけるフラップを提供する。【解決手段】長方形部分８には、一方の端部４ａが折り目３上に位置すると共に他方の端部４ｂが折り目３上の端部４ａとは異なる箇所に位置する切り込み４が形成されている。折り目３と切り込み４とによって、フラップ９が画定されている。折り目３は、フラップ９の根元部分１０において、フラップ９側に凸状に湾曲して曲がっている。フラップ９は、切断可能な繋ぎ部１１によって長方形部分８に接続されており、これにより、フラップ９は、紙２と同一平面状に固定されている。【選択図】図２
2008174243.tif 000002
【特許請求の範囲】
【請求項１】
紙に予め形成された折り目や切り込みに基づいて組み立て可能な紙器におけるフラップにおいて、
前記フラップは、前記折り目と前記切り込みとによって画定されると共に、切断可能な繋ぎ部によって前記紙と同一平面状に固定され、
前記折り目は、前記フラップの根元部分において、前記フラップ側に曲がっていることを特徴とする、紙器におけるフラップ。
【請求項２】
前記折り目は、前記フラップの前記根元部分において、前記フラップ側に凸状に湾曲していることを特徴とする、請求項１に記載の紙器におけるフラップ。
【発明の詳細な説明】
【技術分野】
【０００１】
この発明は、紙器におけるフラップに関する。
【背景技術】
【０００２】
従来の紙器、例えば、４コーナー蓋付カートン（以下、単にカートンと称する）の構造が、特許文献１等に記載されている。このようなカートンは、蓋の一部に形成されたフラップを、箱の本体に形成された穴に差し込むことによって、箱本体に形成された開放部を蓋が覆うものである。このようなカートンは、１枚の紙に折り目や切り込み等を形成することにより製造され、ユーザー等がその折り目や切り込み等に基づいて組み立てることにより、最終的な製品の形態となる。特に、図７に示されるように、フラップ５１は、容易に切断可能な繋ぎ部５２によって、カートンとなる紙本体５０に部分的に固定されていることにより、カートン生産時にフラップ５１が紙本体５０に対して突出することはないので、フラップ５１が他のカートンに引っ掛って生産性及び品質安定性を低下させることを防止できる。
【０００３】
【特許文献１】特開２００４−７５０８１号公報
【発明の開示】
【発明が解決しようとする課題】
【０００４】
しかしながら、従来のカートンでは、ユーザーがカートンを組み立てる際、フラップ５１を引き出すために、指で繋ぎ部５２を切断しなければならず、組み立て作業に手間がかかるといった問題点があった。また、カートン組み立て後も、フラップ５１が切欠部５３に引っ掛ってしまって折り曲がった状態のままになってしまうことがあり、指でフラップ５１を切欠部５３から引き出す必要があるため、取り扱いが不便になるといった問題点もあった。
【０００５】
この発明はこのような問題点を解決するためになされたもので、組み立て及び取り扱いの作業性を向上させた紙器におけるフラップを提供することを目的とする。
【課題を解決するための手段】
【０００６】
紙に予め形成された折り目や切り込みに基づいて組み立て可能な紙器におけるフラップにおいて、前記フラップは、前記折り目と前記切り込みとによって画定されると共に、切断可能な繋ぎ部によって前記紙と同一平面状に固定され、前記折り目は、前記フラップの根元部分において、前記フラップ側に曲がっていることを特徴とする。
前記折り目は、前記フラップの前記根元部分において、前記フラップ側に凸状に湾曲していてもよい。
【発明の効果】
【０００７】
この発明によれば、フラップは、折り目と切り込みとによって画定されると共に、切断可能な繋ぎ部によって紙と同一平面状に固定され、折り目は、フラップの根元部分において、フラップ側に曲がっていることにより、折り目に沿って紙を折り曲げると繋ぎ部が切断されるので、紙器の組み立て作業性を向上することができる。また、組み立てられた紙器において、フラップを折り目に沿って折り曲げても、繋ぎ部を介してフラップが連結されていた部分とフラップとが離れるようになるので、フラップが折り曲がった状態のままにならず、取り扱い作業性を向上することができる。
【発明を実施するための最良の形態】
【０００８】
以下、この発明の実施の形態を添付図面に基づいて説明する。
図１に、この実施の形態に係る紙器であるカートン１の組み立て前の状態の平面図を示す。紙２には、折り目３や切り込み４を含む、１つ以上の折り目や切り込みが形成されている。紙２は、カートン１を組み立てた際に、箱本体となる部分５と蓋となる部分６とを備えている。
【０００９】
蓋となる部分６は、２つの長方形部分７及び８と、長方形部分７及び８を区画する直線状の折り目３とを備えている。長方形部分８を折り目３に沿って折り曲げて長方形部分７に重ね合わせて糊付けすることによって、カートン１の蓋となる。図２に示されるように、長方形部分８には、一方の端部４ａが折り目３上に位置すると共に他方の端部４ｂが折り目３上の端部４ａとは異なる箇所に位置する切り込み４が形成されている。折り目３と切り込み４とによって、フラップ９が画定されている。折り目３は、フラップ９の根元部分１０において、フラップ９側に凸状に湾曲して曲がっている。フラップ９は、切断可能な繋ぎ部１１によって長方形部分８に接続されており、これにより、フラップ９は、紙２と同一平面状に固定されている。
【００１０】
図１に示されるように、箱本体となる部分５も、折り目１２を含む複数の直線状の折り目を備えている。これらの折り目に沿って折り曲げることによって、カートン１の箱本体が組み立てられる。これらの折り目のうちの１つである折り目１２には、カートン１を組み立てた後、フラップ９が挿入される挿入穴となるための切り込み１３が形成されている。
【００１１】
図３には、カートン１を組み立てた状態の斜視図が示されている。カートン１は、上方が開口した立方体形状の箱本体２１と、箱本体２１の開口を覆う蓋２２とを備えている。組み立て前に折り目３（図１参照）であった蓋２２の前縁部２２ａには、フラップ９が設けられている。組み立て前に折り目１２（図１参照）であった箱本体２１の上方前縁部２１ａには、組み立て前に切り込み１３（図１参照）であった挿入穴２３が設けられている。フラップ９を挿入穴２３に挿入することにより、蓋２２が箱本体２１の開口を覆うことができるようになっている。
【００１２】
次に、この実施の形態に係るカートン１を組み立てる際のフラップ９の動作について説明する。
前述したように、カートン１を組み立てる際に、長方形部分８を折り目３に沿って折り曲げて長方形部分７に重ね合わせるが、折り目３は、フラップ９の根元部分１０においてフラップ９側に凸状に湾曲して曲がっているので、フラップ９は折り曲がる際に抵抗を受け、フラップ９は長方形部分８よりも折り曲がりにくくなる。フラップ９と長方形部分８との間のこのような折り曲がり易さの違いにより、フラップ９と長方形部分８とを連結していた繋ぎ部１１が切断される。
【００１３】
また、カートン１を組み立てた後、フラップ９を根元部分１０において折り目３に沿って折り曲げると、図４に示されるように、フラップ９の前縁部９ａが、長方形部分８に繋ぎ部１１を介して連結されていた切欠部８ａから離れた状態となる。このため、フラップ９は切欠部８ａに引っ掛からなくなる。すなわち、フラップ９が折り曲がった状態のままにならなくなる。
【００１４】
このように、フラップ９は、折り目３と切り込み４とによって画定されると共に、切断可能な繋ぎ部１１によって紙２と同一平面状に固定され、折り目３は、フラップ９の根元部分１０において、フラップ９側に曲がっていることにより、折り目３に沿って紙を折り曲げると繋ぎ部１１が切断されるので、カートン１の組み立て作業性を向上することができる。また、組み立てられたカートン１において、フラップ９を折り目３に沿って折り曲げても、繋ぎ部１１を介してフラップ９が連結されていた切欠部８ａとフラップ９とが離れるようになるので、フラップ９が折り曲がった状態のままにならず、カートン１の取り扱い作業性を向上することができる。
【００１５】
この実施の形態では、フラップ９の根元部分１０において、折り目３は、フラップ９側に凸状に湾曲していたが、この形状に限定するものではない。図５に示されるように、フラップ３９の根元部分３０において、折り目３３が、フラップ３９側にＶ字状に突き出るように曲がっていてもよい。また、図６に示されるように、フラップ４９の根元部分４０において、折り目４３が、フラップ４９側に台形形状に突き出るように曲がっていてもよい。さらに、図５及び６の形状に限定するものでもなく、長方形状に突き出ていてもよく、フラップ側に曲がっていればどのような形状であってもよい。
【００１６】
また、この実施の形態では、紙器におけるフラップとして、カートンの蓋に設けられたフラップを例にして説明したが、これに限定するものではない。紙器については、平面状の紙に折り目や切り込み等を形成し、これらに基づいて組み立てるものであれば、どのような製品であってもよく、例えば、幼児向け雑誌の付録等であってもよい。フラップについては、紙器の一部が折り目を中心に回動するものであれば、どのような機能を有するフラップであってもよい。
【図面の簡単な説明】
【００１７】
【図１】この発明の実施の形態に係るカートンの組み立て前の状態の平面図である。
【図２】この実施の形態に係るカートンにおけるフラップの拡大平面図である。
【図３】この実施の形態に係るカートンを組み立てた状態の斜視図である。
【図４】この実施の形態に係るカートンにおいてフラップを折り曲げた状態の平面図である。
【図５】この実施の形態に係るカートンにおける別の形態のフラップの拡大平面図である。
【図６】この実施の形態に係るカートンにおけるさらに別の形態のフラップの拡大平面図である。
【図７】従来のカートンにおける蓋の組み立て前の状態の平面図である。
【符号の説明】
【００１８】
１  カートン（紙器）、２  紙、３，３３，４３  折り目、４  切り込み、９，３９，４９  フラップ、１０，３０，４０  根元部分、１１  繋ぎ部。
【図１】
2008174243.tif 000003
【図２】
2008174243.tif 000004
【図３】
2008174243.tif 000005
【図４】
2008174243.tif 000006
【図５】
2008174243.tif 000007
【図６】
2008174243.tif 000008
【図７】
2008174243.tif 000009